(57)【特許請求の範囲】
【請求項１】
記憶手段と、制御手段と、演奏手段と、採点手段と、表示手段を備え、歌唱の巧拙を採点するカラオケ演奏端末であって、
記憶手段は、リクエスト予約簿と、楽曲別平均点表と、演奏前応援メッセージ集を格納し、
リクエスト予約簿は、リクエスト曲をチーム別に整理して順番に記述し、
楽曲別平均点表は、カラオケ楽曲ごとの採点履歴データから算出された楽曲別平均点を記述し、
演奏前応援メッセージ集は、先行曲平均点と、後続曲平均点と、応援メッセージの対応付けを複数記述し、
制御手段は、リクエスト予約簿に従ってあるリクエスト曲Ａを演奏手段に演奏させるに先立って第１〜第４処理を行い、
第１処理は、楽曲別平均点表から先行曲であるリクエスト曲Ａの平均点ａを抽出し、
第２処理は、リクエスト予約簿からリクエスト曲Ａのつぎに演奏するリクエスト曲Ｂを認知し、
第３処理は、楽曲別平均点表から後続曲であるリクエスト曲Ｂの平均点ｂを抽出し、
第４処理は、演奏前応援メッセージ集から先行曲平均点ａと後続曲平均点ｂに対応付けされた応援メッセージを抽出し、表示手段により表示させる
カラオケ演奏端末。
【請求項２】
記憶手段と、制御手段と、演奏手段と、採点手段と、表示手段を備え、歌唱の巧拙を採点するカラオケ演奏端末であって、
記憶手段は、リクエスト予約簿と、楽曲別平均点表と、演奏中応援メッセージ集を格納し、
リクエスト予約簿は、リクエスト曲をチーム別に整理して順番に記述し、
楽曲別平均点表は、カラオケ楽曲ごとの採点履歴データから算出された楽曲別平均点を記述し、
演奏中応援メッセージ集は、中間採点結果と、先行曲平均点と、後続曲平均点と、応援メッセージの対応付けを複数記述し、
制御手段は、リクエスト予約簿に従ってあるリクエスト曲Ａを演奏手段に演奏させる際に第１〜第４処理を行い、
第１処理は、楽曲別平均点表から先行曲であるリクエスト曲Ａの平均点ａを抽出し、
第２処理は、リクエスト予約簿からリクエスト曲Ａのつぎに演奏するリクエスト曲Ｂを認知し、
第３処理は、楽曲別平均点表から後続曲であるリクエスト曲Ｂの平均点ｂを抽出し、
第４処理は、リクエスト曲Ａの演奏中に採点手段から中間採点結果ｃを取得し、演奏中応援メッセージ集から中間採点結果ｃと先行曲平均点ａと後続曲平均点ｂに対応付けされた応援メッセージを抽出し、表示手段により表示させる
カラオケ演奏端末。
【請求項３】
記憶手段と、制御手段と、演奏手段と、採点手段と、表示手段を備え、歌唱の巧拙を採点するカラオケ演奏端末であって、
記憶手段は、リクエスト予約簿と、楽曲別平均点表と、演奏前応援メッセージ集と、演奏中応援メッセージ集を格納し、
リクエスト予約簿は、リクエスト曲をチーム別に整理して順番に記述し、
楽曲別平均点表は、カラオケ楽曲ごとの採点履歴データから算出された楽曲別平均点を記述し、
演奏前応援メッセージ集は、先行曲平均点と、後続曲平均点と、応援メッセージの対応付けを複数記述し、
演奏中応援メッセージ集は、中間採点結果と、先行曲平均点と、後続曲平均点と、応援メッセージの対応付けを複数記述し、
制御手段は、リクエスト予約簿に従ってあるリクエスト曲Ａを演奏手段に演奏させるに先立って第１〜第４処理を行い、
第１処理は、楽曲別平均点表から先行曲であるリクエスト曲Ａの平均点ａを抽出し、
第２処理は、リクエスト予約簿からリクエスト曲Ａのつぎに演奏するリクエスト曲Ｂを認知し、
第３処理は、楽曲別平均点表から後続曲であるリクエスト曲Ｂの平均点ｂを抽出し、
第４処理は、演奏前応援メッセージ集から先行曲平均点ａと後続曲平均点ｂに対応付けされた応援メッセージを抽出し、表示手段により表示させ、
制御手段は、リクエスト曲Ａの演奏中に採点手段から中間採点結果ｃを取得し、演奏中応援メッセージ集から中間採点結果ｃと先行曲平均点ａと後続曲平均点ｂに対応付けされた応援メッセージを抽出し、表示手段により表示させる
カラオケ演奏端末。
【発明の詳細な説明】
【０００１】
【発明の属する技術分野】
この発明は、チーム対抗歌合戦の支援機能に特徴を有するカラオケシステムに関し、チーム対抗歌合戦をより面白くする技術に関する。
【０００２】
【従来の技術】
複数人の利用者が複数のチームに分かれて歌唱得点を競い合う、チーム対抗歌合戦を楽しめるカラオケ演奏端末が知られている（例えば、特願平９−２５２４１３）。カラオケ演奏端末は、各リクエスト曲を利用者が指定するチームＩＤ別に整理してリクエスト予約簿に登録し、登録されたリクエスト曲を各チームＩＤごとにかわるがわる演奏して歌合戦を進行させる。カラオケ演奏端末はリクエスト曲が演奏される度ごとに歌唱得点を採点し、チーム別に採点結果を集計した成績をもとにチーム対抗で順位を競う。
【０００３】
【発明が解決しようとする課題】
ところで、チーム対抗歌合戦の最中におけるディスプレイの表示内容は、次に予約されているリクエスト曲のタイトルや、既に歌い終わったリクエスト曲の歌唱得点といった味気ない内容のものに限られ、歌合戦のムードを盛り上げるには少々ものたりない感があった。
【０００４】
そこで、本発明はディスプレイの表示内容を充実させ、従来よりも面白く白熱したチーム対抗歌合戦を進行させることができる通信カラオケシステムを提供することを目的とする。
【０００５】
【課題を解決するための手段】
第１発明に係るカラオケ演奏端末は、分説すると、つぎの事項（１）〜（10）により特定されるものである。
（１）記憶手段と、制御手段と、演奏手段と、採点手段と、表示手段を備え、歌唱の巧拙を採点するカラオケ演奏端末であること
（２）記憶手段は、リクエスト予約簿と、楽曲別平均点表と、演奏前応援メッセージ集を格納すること
（３）リクエスト予約簿は、リクエスト曲をチーム別に整理して順番に記述すること
（４）楽曲別平均点表は、カラオケ楽曲ごとの採点履歴データから算出された楽曲別平均点を記述すること
（５）演奏前応援メッセージ集は、先行曲平均点と、後続曲平均点と、応援メッセージの対応付けを複数記述すること
（６）制御手段は、リクエスト予約簿に従ってあるリクエスト曲Ａを演奏手段に演奏させるに先立って第１〜第４処理を行うこと
（７）第１処理は、楽曲別平均点表から先行曲であるリクエスト曲Ａの平均点ａを抽出すること
（８）第２処理は、リクエスト予約簿からリクエスト曲Ａのつぎに演奏するリクエスト曲Ｂを認知すること
（９）第３処理は、楽曲別平均点表から後続曲であるリクエスト曲Ｂの平均点ｂを抽出すること
（10）第４処理は、演奏前応援メッセージ集から先行曲平均点ａと後続曲平均点ｂに対応付けされた応援メッセージを抽出し、表示手段により表示させること
【０００６】
第２発明に係るカラオケ演奏端末は、分説すると、つぎの事項（21）〜（30）により特定されるものである。
（21）記憶手段と、制御手段と、演奏手段と、採点手段と、表示手段を備え、歌唱の巧拙を採点するカラオケ演奏端末であること
（22）記憶手段は、リクエスト予約簿と、楽曲別平均点表と、演奏中応援メッセージ集を格納すること
（23）リクエスト予約簿は、リクエスト曲をチーム別に整理して順番に記述すること
（24）楽曲別平均点表は、カラオケ楽曲ごとの採点履歴データから算出された楽曲別平均点を記述すること
（25）演奏中応援メッセージ集は、中間採点結果と、先行曲平均点と、後続曲平均点と、応援メッセージの対応付けを複数記述すること
（26）制御手段は、リクエスト予約簿に従ってあるリクエスト曲Ａを演奏手段に演奏させる際に第１〜第４処理を行うこと
（27）第１処理は、楽曲別平均点表から先行曲であるリクエスト曲Ａの平均点ａを抽出すること
（28）第２処理は、リクエスト予約簿からリクエスト曲Ａのつぎに演奏するリクエスト曲Ｂを認知すること
（29）第３処理は、楽曲別平均点表から後続曲であるリクエスト曲Ｂの平均点ｂを抽出すること
（30）第４処理は、リクエスト曲Ａの演奏中に採点手段から中間採点結果ｃを取得し、演奏中応援メッセージ集から中間採点結果ｃと先行曲平均点ａと後続曲平均点ｂに対応付けされた応援メッセージを抽出し、表示手段により表示させること
【０００７】
第３発明に係るカラオケ演奏端末は、第１発明の演奏前応援メッセージ出力機能と、第２発明の演奏中応援メッセージ出力機能を併せ持つものである。
【０００８】
【発明の実施の形態】
＝＝＝通信カラオケシステムの構成＝＝＝
図１に本発明による通信カラオケシステムの全体構成を示す。ホスト装置１０と地域に散在する多数のカラオケ演奏端末１００とが、公衆通信網Ｎを介して接続する。
【０００９】
▲１▼ホスト装置およびカラオケ演奏端末の基本機能
図２に本実施例におけるホスト装置１０およびカラオケ演奏端末１００の概略ブロック構成を示す。ホスト装置１０におけるホスト制御部１１は、内部にＣＰＵ、ＲＡＭ、ＲＯＭを含むコンピュータ本体であって、通信制御部１３を介して電話回線網もしくはＩＳＤＮ網等の公衆通信網Ｎに接続する。カラオケデータベース１５には、多数曲分のカラオケデータが蓄積されている。ホスト制御部１１は、適宜カラオケ楽曲の伴奏音楽生成データと歌詞描出データを含むカラオケデータをカラオケデータベース１５から取り出して、各カラオケ演奏端末１００に配信する。
【００１０】
カラオケ演奏端末１００における中央制御部１０１は、内部にＣＰＵ、ＲＡＭ、ＲＯＭを備えるコンピュータ本体であって、通信制御装置１０２を介して公衆通信網Ｎに接続する。ハードディスク装置１０３には、ホスト装置１０から配信されたカラオケデータが格納されている。中央制御部１０１は、リモコン送信機１０５や操作パネル１０７などから入力されたリクエスト情報に従って適宜なカラオケデータをハードディスク装置１０３から取り出す。カラオケデータに含まれるＭＩＤＩデータなどの伴奏音楽生成データはシンセサイザ１０９に順次転送され、伴奏音楽が生成される。この伴奏音楽は、ミキシングアンプ１１１において、マイクロホン１１３から入力された歌唱音声と混合され、スピーカ１１５に出力される。また、カラオケデータに含まれる歌詞描出データはビデオＲＡＭ１１７に転送する。表示制御部１１９は、ビデオＲＡＭ１１７上にビットマップ展開される歌詞画像とビデオＣＤチェンジャ１２１が生成するムード映像とをスーパーインポーズしてディスプレイ１２３に出力する。
【００１１】
▲２▼カラオケ演奏端末における歌唱採点機能
歌唱採点プロセッサ１２５は、カラオケ伴奏音楽の出力時にマイクロホン１１３から入力された歌唱オーディオ信号に含まれる音程や声量などの成分を所定のアルゴリズムに従って分析し、リクエスト曲ごとに歌唱の上手下手を採点する。中央制御部１０１は、各カラオケ楽曲ごとの採点結果をハードディスク装置１０３に用意される採点履歴表に記録する。
【００１２】
▲３▼楽曲別平均点表の配信
ホスト装置１０は、各カラオケ演奏端末１００の採点履歴表を適宜集信し、この採点履歴から各カラオケ楽曲ごとの楽曲別平均点を算出する。ホスト装置は、算出した楽曲別平均点をまとめた楽曲別平均点表を作成し、これを適宜各カラオケ演奏端末に配信する。各カラオケ演奏端末１００は、ホスト装置から配信されてくる楽曲別平均点表をハードディスク装置１０３に格納する。図３に楽曲別平均点表の一例を示す。
【００１３】
＝＝＝チーム対抗歌合戦機能＝＝＝
カラオケ演奏端末１００は、各リクエスト曲の採点結果をチーム別に集計した成績をもとにチーム対抗で順位を競い合う、チーム対抗歌合戦モードを有する。利用者は、遊技開始時にリモコン送信器１０５もしくは操作パネル１０７を操作して、チーム対抗歌合戦モードでカラオケを楽しむかどうかを選択する。
【００１４】
▲１▼リクエスト曲の受け付け、演奏、採点
チーム対抗歌合戦において、利用者は、リクエスト曲の予約時に、操作パネル１０７もしくはリモコン送信器１０５に設けられたチームＩＤ選択ボタンを押下して自分が所属するチームのＩＤを指定する。カラオケ演奏端末１００は、リクエスト曲をチーム別に整理して、ＲＡＭ上のリクエスト予約簿に記憶する。カラオケ演奏端末１００は、リクエスト予約簿に登録されている各チームのリクエスト曲を一曲ずつかわるがわる演奏して採点する。
【００１５】
▲２▼演奏開始前における応援メッセージの表示
カラオケ演奏端末１００は、各リクエスト曲の演奏が開始される直前に、応援メッセージを表示する機能を備える。ハードディスク装置１０３には、応援メッセージが多数登録された演奏前応援メッセージ集が格納されている。各応援メッセージは２種類の楽曲別平均点の組み合わせをキーとして整理されている。図４に演奏前応援メッセージ集の一例を示す。
【００１６】
カラオケ演奏端末１００は、あるリクエスト曲が演奏される直前において、当該リクエスト曲の楽曲別平均点と、当該リクエスト曲の次にリクエスト予約簿に登録されている他チームのリクエスト曲の楽曲別平均点の組み合わせとをキーとして、演奏前応援メッセージ集から応援メッセージを取得し、これをディスプレイに表示する。ここで、各リクエスト曲の楽曲別平均点は、前述した楽曲別平均点表から取得する。
【００１７】
例えば、演奏を開始しようとするリクエスト曲の楽曲別平均点が８０点、このリクエスト曲の次に予約されている他チームのカラオケ楽曲の楽曲別平均点が６０点であり、楽曲別平均点表および演奏前応援メッセージ集がそれぞれ図３、図４のようである場合には、「この歌は簡単だけど油断は禁物！」という応援メッセージをディスプレイ１２３に表示する。
【００１８】
▲３▼演奏中における応援メッセージの表示
また、カラオケ演奏端末１００は、各リクエスト曲の演奏中に応援メッセージを表示する機能も備え、ハードディスク装置１０３には、前述した演奏前応援メッセージ集とは別に、当該リクエスト曲の演奏途中に表示する応援メッセージが多数登録された演奏中応援メッセージ集が格納されている。演奏中応援メッセージ集に登録されている各応援メッセージは、図５に示すように、１種類の歌唱得点と２種類の楽曲別平均点の組み合わせをキーとして整理されており、カラオケ演奏端末１００は、あるリクエスト曲の演奏途中において、当該リクエスト曲のその時点における中間採点結果と、当該リクエスト曲の楽曲別平均点と、このリクエスト曲の次にリクエスト予約簿に登録されている他チームのリクエスト曲の楽曲別平均点とをキーとして、演奏中応援メッセージ集から特定の応援メッセージを取得して、これを当該リクエスト曲の演奏中、ディスプレイに適宜なタイミングで表示する。ここで、リクエスト曲の楽曲別平均点は前述した演奏前応援メッセージ集の場合と同様に、楽曲別平均点表から取得する。
【００１９】
具体例を示すと、例えば、あるリクエスト曲の演奏途中におけるその時点での中間採点結果が６０点、カラオケ楽曲の楽曲別平均点が８０点、また、このリクエスト曲の次に予約されている他チームのリクエスト曲の楽曲別平均点が８０点であり、楽曲別平均点表および演奏中応援メッセージ集の内容がそれぞれ図３、図５に示す内容であった場合には「相手は簡単な歌で対抗する気だと言ったでしょう、これじゃあぶないよ」という応援メッセージをディスプレイ１２３に表示する。
【００２０】
ところで、図５に示す演奏中応援メッセージ集には、中間採点結果が端数であった場合、例えば、中間採点結果が６２点であったような場合に対応する応援メッセージが用意されていないが、このような場合には、演奏中応援メッセージ集に存在する最も近い中間採点結果が採用される。従って、この例の場合には、６２点に最も近い値、すなわち、中間採点結果が６０点であった場合に対応する応援メッセージが選択される。
【００２１】
▲４▼歌合戦の結果集計
中央制御部１０１は、各リクエスト曲の演奏が終わる度に当該リクエスト曲の採点結果をチーム別に整理して採点履歴表に記録していき、全てのリクエスト曲を演奏し終えると、中央制御部１０１は採点履歴表をもとに各チームごとに採点結果を合計し、これにより決定した各チームの順位表をディスプレイ１２３に表示する。
【００２２】
＝＝＝その他の応用＝＝＝
ところで、以上に説明したキーに加え、例えば、味方チームのリクエスト曲の平均点や、前回までに他のチームが歌い終えた楽曲の採点結果、平均点などをキーとする各種の応援メッセージを用意して、これらを適宜なタイミングで表示するようにすれば、よりバラエティに富み、その場の状況を反映した好適な応援メッセージを提供することができる。
【００２３】
演奏前応援メッセージ集や演奏中応援メッセージ集に登録する応援メッセージの更新データを、公衆通信網Ｎを介してホスト装置１０から各カラオケ演奏端末１００に配信するようにしてもよい。このようにすれば、新しく作成した応援メッセージを各カラオケ演奏端末に迅速に供給することができる。
【００２４】
【発明の効果】
以上に説明したように、本発明による通信カラオケシステムによれば、チーム対抗歌合戦において、リクエスト曲の演奏が開始される直前や、リクエスト曲の演奏中に、当該リクエスト曲の楽曲別平均点や次に予約されている他チームのリクエスト曲の楽曲別平均点やリクエスト曲の現時点での採点結果等が反映された好適な応援メッセージが表示されるので、従来よりも変化に富み、面白くて白熱したチーム対抗歌合戦を進行させることができ、利用者をより一層楽しませることができる。
【図面の簡単な説明】
【図１】本発明の一実施例による通信カラオケシステムの全体構成を示す図である。
【図２】本発明の一実施例によるホスト装置およびカラオケ演奏端末の概略ブロック構成を示す図である。
【図３】本発明の一実施例による楽曲別平均点表の一例を示す図である。
【図４】本発明の一実施例による演奏前応援メッセージ集の一例を示す図である。
【図５】本発明の一実施例による演奏中応援メッセージ集の一例を示す図である。
【符号の説明】
１０  ホスト装置
１５  カラオケデータベース
１７  楽曲別平均点表
１００  カラオケ演奏端末
１０１  中央制御部
１０３  ハードディスク装置
１０５  リモコン送信器
１２３  ディスプレイ
１２５  歌唱採点プロセッサ
【図１】
0004040739.tif 000002
【図２】
0004040739.tif 000003
【図３】
0004040739.tif 000004
【図４】
0004040739.tif 000005
【図５】
0004040739.tif 000006